(57)【特許請求の範囲】
【請求項１】
マンホールの蓋枠と、
蓋枠の内部に収納可能な蓋とより構成し、
蓋には、ロック回転体を設け、
このロック回転体は、
蓋の表裏を貫通して設けた回転軸と、
蓋裏側に設けた、ロック回転体の回転軌跡方向に向けて突設した係合ピンと、
蓋表側に設けた、地上への露出部とより構成し、
蓋枠側には、前記の係合ピンの移動軌跡上にピンを係合する溝を設け、
係合ピンを係合溝へ挿入した状態で、ロック回転体に開口したピン穴に、蓋の表面からストッパーピンを挿入しうるように構成し、
ストッパーピンの地上への露出面には充填溝を刻設し、
この充填溝には、解体、溶解が容易な充填体を充填可能に構成した、
マンホールの構造。
【請求項２】
マンホールの蓋枠と、
蓋枠の内部に収納可能な蓋とより構成し、
蓋には、ロック回転体を設け、
このロック回転体は、
蓋の表裏を貫通して設けた回転軸と、
蓋裏側に設けた、ロック回転体の回転軌跡方向に向けて突設した係合ピンと、
蓋表側に設けた、地上への露出部とより構成し、
蓋枠側には、前記の係合ピンの移動軌跡上にピンを係合する溝を設け、
係合ピンを係合溝へ挿入した状態で、ロック回転体に開口したピン穴に、蓋の表面からストッパーピンを挿入しうるように構成し、
ストッパーピンの地上への露出面には充填溝を刻設し、
この充填溝には、解体、溶解が容易な充填体を充填可能に構成し、
充填溝からは蓋に向けて抵抗部材を出入り自在に設置して構成した、
マンホールの構造。
【請求項３】
マンホールの蓋枠と、
蓋枠の内部に収納可能な蓋とより構成し、
蓋には、ロック回転体を設け、
このロック回転体は、
蓋の表裏を貫通して設けた回転軸と、
蓋裏側に設けた、ロック回転体の回転軌跡方向に向けて突設した係合ピンと、
蓋表側に設けた、地上への露出部とより構成し、
蓋枠側には、前記の係合ピンの移動軌跡上にピンを係合する溝を設け、
ロック回転体の地上への露出面には非円形溝を刻設し、
非円形溝には、解体、溶解が容易な充填体を充填可能に構成した、
マンホールの構造。
【請求項４】
マンホールの蓋枠と、
蓋枠の内部に収納可能な蓋とより構成し、
蓋には、ロック回転体を設け、
このロック回転体は、
蓋の表裏を貫通して設けた回転軸と、
蓋裏側に設けた、ロック回転体の回転軌跡方向に向けて突設した係合ピンと、
蓋表側に設けた、地上への露出部とより構成し、
蓋枠側には、前記の係合ピンの移動軌跡上にピンを係合する溝を設け、
ロック回転体の地上への露出面には非円形溝を刻設し、
この非円形溝には、解体、溶解が容易な充填体を充填可能に構成し、
蓋の壁面には挿入穴を開口しておき、
上記の非円形溝からは蓋の挿入穴に向けて固定部材を出入り自在に設置して構成した、
マンホールの構造。
【請求項５】
充填溝や非円形溝には、
一部を加圧することによって周囲に拡大する構成の充填体を充填可能に構成した、
請求項１〜４記載のマンホールの構造。
【発明の詳細な説明】
【０００１】
【発明の属する技術分野】
本発明は、マンホールの構造に関するものである。
【０００２】
【従来の技術】
防犯上からは、マンホールには管理者以外の第三者が侵入させないことが望ましい。
そのために、従来はマンホールの蓋を蓋枠に溶接したり、接着剤で接着したり、あるいは蓋と蓋枠との間にくさびを打ち込むような方法が採用されている。
【０００３】
【本発明が解決しようとする課題】
このような方法で蓋を蓋枠に固定すれば、蓋と蓋枠とを強固に固定できるが、第三者だけでなく、管理者自身も開蓋の際には多大な手数を要することになる。
【０００４】
【本発明の目的】
本発明は上記したような従来の問題を解決するためになされたもので、管理者は容易に開蓋することができ、一方、管理者以外の第三者がマンホールを開放した場合にその形跡を直ちに把握して対処することができる、マンホールの構造を提供することを目的とする。
【０００５】
【課題を解決するための手段】
上記のような目的を達成するために本発明のマンホールの構造は、マンホールの蓋枠と、蓋枠の内部に収納可能な蓋とより構成し、蓋には、ロック回転体を設け、このロック回転体は、蓋の表裏を貫通して設けた回転軸と、
蓋裏側に設けた、ロック回転体の回転軌跡方向に向けて突設した係合ピンと、蓋表側に設けた、地上への露出部とより構成し、蓋枠側には、前記の係合ピンの移動軌跡上にピンを係合する溝を設け、係合ピンを係合溝へ挿入した状態で、ロック回転体に開口したピン穴に、蓋の表面からストッパーピンを挿入しうるように構成し、ストッパーピンの地上への露出面には充填溝を刻設し、この充填溝には、解体、溶解が容易な充填体を充填可能に構成したマンホールの構造を特徴としたものである。
【０００６】
さらに本発明の目的を達成するマンホールの構造はマンホールの蓋枠と、
蓋枠の内部に収納可能な蓋とより構成し、蓋には、ロック回転体を設け、
このロック回転体は、蓋の表裏を貫通して設けた回転軸と、蓋裏側に設けた、ロック回転体の回転軌跡方向に向けて突設した係合ピンと、蓋表側に設けた、地上への露出部とより構成し、蓋枠側には、前記の係合ピンの移動軌跡上にピンを係合する溝を設け、係合ピンを係合溝へ挿入した状態で、ロック回転体に開口したピン穴に、蓋の表面からストッパーピンを挿入しうるように構成し、ストッパーピンの地上への露出面には充填溝を刻設し、この充填溝には、解体、溶解が容易な充填体を充填可能に構成し、充填溝からは蓋に向けて抵抗部材を出入り自在に設置して構成したマンホールの構造を特徴としたものである。
【０００７】
さらに本発明の目的を達成するマンホールの構造は、マンホールの蓋枠と、
蓋枠の内部に収納可能な蓋とより構成し、蓋には、ロック回転体を設け、このロック回転体は、蓋の表裏を貫通して設けた回転軸と、蓋裏側に設けた、ロック回転体の回転軌跡方向に向けて突設した係合ピンと、蓋表側に設けた、地上への露出部とより構成し、蓋枠側には、前記の係合ピンの移動軌跡上にピンを係合する溝を設け、ロック回転体の地上への露出面には非円形溝を刻設し、非円形溝には、解体、溶解が容易な充填体を充填可能に構成したマンホールの構造を特徴としたものである。
【０００８】
さらに本発明の目的を達成するマンホールの構造は、マンホールの蓋枠と、蓋枠の内部に収納可能な蓋とより構成し、蓋には、ロック回転体を設け、
このロック回転体は、蓋の表裏を貫通して設けた回転軸と、蓋裏側に設けた、ロック回転体の回転軌跡方向に向けて突設した係合ピンと、蓋表側に設けた、地上への露出部とより構成し、蓋枠側には、前記の係合ピンの移動軌跡上にピンを係合する溝を設け、ロック回転体の地上への露出面には非円形溝を刻設し、この非円形溝には、解体、溶解が容易な充填体を充填可能に構成し、蓋の壁面には挿入穴を開口しておき、上記の非円形溝からは蓋の挿入穴に向けて固定部材を出入り自在に設置して構成したマンホールの構造を特徴としたものである。
【０００９】
【本発明の実施の態様】
以下図面を参照しながら本発明のマンホールの構造の実施例について説明する。
【００１０】
＜イ＞全体の構成。
本発明は、マンホールの蓋枠２と、蓋枠２の内部に収納可能な蓋１とより構成する。蓋１を蓋枠２に固定するには、後述するように、蓋１側の係合ピン３２を、蓋枠２側に設けた係合溝３４に係合して行う。
【００１１】
＜ロ＞ロック回転体３。
ロック回転体３は、回転する軸を、蓋１の表裏を貫通して設ける。
ロック回転体３の蓋表面への露出部には、四角形その他の非円形の溝３７を凹設し、回転工具を嵌合してロック回転体３に回転力を与えうるように構成する。
【００１２】
＜ハ＞回転腕。
ロック回転体３の蓋裏側には、ロック回転体３の中心軸と直交する方向に向けて回転腕３１を突設する。
ロック回転体３の回転とともに回動する回転腕３１の先端には、ロック回転体の回転軌跡の方向に向けて係合ピン３２を突設する。
したがってロック回転体３の回動とともに係合ピン３２はロック回転体の軸芯を中心とした円の軌道上を移動する。
【００１３】
＜ニ＞ピン穴。
ストッパーピン５を使用する実施例（図２、３）では、回転腕３１のいずれかの位置にはピン穴３５を鉛直方向に開口する。
ピン穴３５の開口のために、回転腕３の一部に台座３６を設け、この台座３６にピン穴３５を開口することもできる。
【００１４】
＜ホ＞係合溝。
一方、蓋枠２側には、前記の係合ピン３２の移動軌跡上に、ピンを係合するための係合溝３４を設ける。
【００１５】
＜ヘ＞ストッパーピン５。
自動車の振動などで回転腕３１が回転してピン３２が係合溝３４から抜け出しては危険である。
そこで回転腕３１の回転を拘束するために、回転腕３１のピン穴３５にストッパーピン５の先端を挿入する。
そのために、係合ピン３２を係合溝３４へ挿入した状態で、ピン穴３５には、蓋１の表面からストッパーピン５を挿入する。
このストッパーピン５は、ピン穴３５に挿入する棒状部５１と、ねじ部５２とより構成する。
このねじ部５２は、棒状部５１の基端側に形成することも、先端に形成することも可能である。
基端側にねじ部５２を形成した場合には、蓋１に形成しためすねじに螺合する。
先端にねじ部５２を形成した場合には、ピン穴３５の内面に形成しためすねじに螺合する。
【００１６】
＜ト＞充填溝。
ストッパーピン５の上端面、すなわち蓋１の表面に露出する面には、回転工具を挿入してストッパーピン５に回転を与える非円形の溝を形成する。
この溝を後述する充填体６充填用の充填溝５３として使用する。
【００１７】
＜チ＞充填体の充填。
ストッパーピン５の上端面の充填溝５３には、溶解、あるいは分解が容易な充填体６を挿入する。
溶解容易な充填体６とは、例えば合成樹脂、低温で溶解する合金などである。
分解が容易な充填体６とは、例えば複数のブロックを組み合わせ、ひとつの逆円錐台状のブロックを引き抜いたり破壊すると、他のブロックの移動が自由になり、解体可能となるような公知の玩具などにみられる部材である。
【００１８】
＜リ＞充填体の目的。
ストッパーピン５の充填溝３５に上記のような充填体６を挿入する目的は、管理者以外の第三者の行った開蓋行為を確認するためのである。
マンホールの蓋１を開けるには、まず充填体６を溶解、解体してはじめて回転腕３１の拘束を解除して回転を与え、蓋１を開けることが可能となる。
したがって管理者以外の者が蓋１を開ければ、かならず充填体６は破壊されているから、その形跡を直ちに把握することができる。さらに充填体６の表面に管理者の名称などを刻印しておけば、その発見はより確実である。
【００１９】
＜ヌ＞充填体の構造。
充填溝５３へ充填する充填体６として、一部を加圧することによって周囲に拡大する部材で構成しておけば、現場で簡単に充填作業を行うことができる。
そのために、例えば複数の脚６２を備えたアルミニュウムのブロックを使用することができる。
この充填体６の中央に加圧ピン６１を圧入すれば、脚６２を周囲に拡大し、充填溝５３の壁面に押し付けて簡単に溝５３内の充填を行うことができる。
脚２の外面を上向きの斜面に形成し、かつ溝５３の内面壁を下向きの斜面に形成すれば充填がより完全である。
【００２０】
＜ル＞抵抗部材。
ストッパーピン５そのものは蓋１に、あるいはピン穴３５の内面に形成しためすねじに、ねじ５２で取り付けてある。
そのために蓋１に伝わる自動車の振動によって、長年の間にストッパーピン５が回転して弛むことも考えられる。
そのようなストッパーピン５の妄動を阻止するために、充填溝５３の内部からストッパーピン５の外側に向けて抵抗部材５４を出入り自在に設置する。
抵抗部材５４としては、板状のピン、Ｌ型に曲げた棒状のピンなど各種のものを使用できる。
一方、蓋１のストッパーピン５設置用の穴の内側には、円周方向に平行に円周溝１１を刻設する。
この円周溝１１内に抵抗部材５４を押し出しておけば、ストッパーピン５が振動で回転しても、抜け出すことがない。
【００２１】
＜ヲ＞蓋を開ける場合。
マンホールに人が入る場合などには蓋１を開放する必要がある。
その場合には、まずロック回転体３を蓋１の外部から回転する。しかしロック回転体３の回転は、ストッパーピン５で拘束されているから、まずストッパーピン５を回転腕３１から引き抜かなければならない。
そのために、ストッパーピン５の充填溝５３内部の充填体６を溶解し、あるいは解体して除去する。
そして、抵抗部材５４を蓋１の円周溝１１から引き出す。するとストッパーピン５の上下方向への移動を阻止する部材が存在しなくなるから、ストッパーピン５は容易に引き出すことができる。
その後に非円形の充填溝５３に工具を挿入して回転を与えてストッパーピン５を引き抜く。
こうして回転可能となったロック回転体３を回転して係合ピン３２を係合溝３４から引き出す。
その状態で蓋１を引き上げれば、蓋枠２に係合する部材がなくなっているから容易に蓋１を開くことができる。
【００２２】
＜ワ＞犯罪の発見。
蓋１を開放するためには、上記したようにストッパーピン５の充填溝５３内の充填体６を溶解し、あるいは解体してからでなければ行うことができない。
したがって管理者以外の第三者が蓋１を開放した場合に、管理者は充填体６を破壊した形跡を直ちに発見することができる。特に充填体６の表面に管理者の名称などを刻印しておけば、その発見はより確実である。
【００２３】
＜カ＞ロック回転体の拘束。（図６，７）
次にストッパーピン５を使用しない構造について説明する。
係合ピン３２を係合溝３４に挿入した状態で、ロック回転体３の位置が決まり、この位置は常に一定である。
その状態でロック回転体３の非円形溝３７から、蓋１の壁面に向けて固定部材３８を挿入すればロック回転体３の自由な回転を拘束することができる。
蓋１の壁面には、固定部材３８を挿入する挿入穴を開口しておく。
このようにロック回転体３の回転を拘束すれば、ストッパーピン５は不要となる。
このような構成に加えて、さらにストッパーピン５を併用すればロック回転体３の拘束がより確実となる。
【００２４】
＜ヨ＞ロック回転体への充填。
ロック回転体３上面の非円形溝３７に、上記した、溶解容易な部材、解体容易な充填体６を充填する構成を採用することができる。
解体、溶解が容易な充填体６として、一部を加圧することによって周囲に拡大する構成の充填体６を採用することができる。
この場合にも、充填体６を破壊しないとロック回転体３を回転することができず、係合ピン３２を係合溝３４から引き出すことはできない。
【００２５】
＜タ＞二箇所への充填。
ロック回転体３とストッパーピン５とを併用すれば、ストッパーピン５の充填溝５３と、ロック回転体３の非円形溝３７との両方に、充填体６を充填することができる。
その結果、防犯上の管理がより確実である。
【００２６】
【本発明の効果】
本発明のマンホールの構造は以上説明したようになるから、次のような効果を達成することができる。
＜イ＞ストッパーピン５の地表面への露出端の充填溝５３は、充填体によって充填し、場合によっては充填体の表面に管理者の刻印を押しておくことができる。
すると、管理者以外の第三者が充填体を解除して蓋１を開放した場合に、充填体が除去されていたり、あるいは刻印が熔けている状況から第三者が蓋１を開放した事実が分かり、犯罪を発見し、防止することができる。
＜ロ＞管理者は、充填体を解体、溶解して簡単に除去することができるから、蓋を開放する場合の作業は容易である。
＜ハ＞充填体を、一部を加圧することによって周囲に拡大する部材で構成しておけば、現場で簡単に充填作業を行うことができる。
＜ニ＞溝に充填体を充填する構成は、ストッパーピン５に限らず、ロック回転体３の非円形溝３７に充填する構成、あるいは両者を併用する構成を採用することができる。
すると第三者による蓋の開放をより確実に発見することができる。
【図面の簡単な説明】
【図１】本発明のマンホールの説明図。
【図２】ロック回転体とストッパーピンの説明図。
【図３】係合ピンと係合溝の係合状態の説明図。
【図４】充填体の実施例の説明図。
【図５】ストッパーピンの頭部に設けた抵抗部材と充填体の説明図。
【図６】ストッパーピンを使用しない実施例の説明図。
【図７】固定部材の配置状態の説明図。
【図１】
0004036657.tif 000002
【図２】
0004036657.tif 000003
【図３】
0004036657.tif 000004
【図４】
0004036657.tif 000005
【図５】
0004036657.tif 000006
【図６】
0004036657.tif 000007
【図７】
0004036657.tif 000008